(57)【特許請求の範囲】
【請求項１】
タッチスクリーンを有する携帯電子装置に適したユーザインタフェース切り換え方法において、この方法が、
複数のユーザインタフェースを設け、これらユーザインタフェースのうちの１つをタッチスクリーン内に表示する工程と、
前記ユーザインタフェースにそれぞれ対応する複数の表示アイコンを有する表示アイコンのバーと、現在表示されているユーザインタフェースに対応する１つ以上のホットキーを有するホットキーのバーとを前記タッチスクリーン内に表示する工程と、
前記タッチスクリーンによりタッチ信号を検出する工程と、
このタッチ信号が表示アイコンのバー内に入り、この表示アイコンのバー内で移動した際に、これに応じて表示アイコンのバーを移動させるとともに、タッチ信号が終了した表示アイコンに応じてユーザインタフェース及びホットキーを切り換える工程と
を具えるユーザインタフェース切り換え方法。
【請求項２】
請求項１に記載のユーザインタフェース切り換え方法において、この方法が更に、
タッチ信号がユーザインタフェース内に入り、このユーザインタフェース内で移動した際に、ユーザインタフェースを切り換えるとともに、この切り換えられたユーザインタフェースに応じて表示アイコンのバーを移動させる工程
を具えるユーザインタフェース切り換え方法。
【請求項３】
請求項２に記載のユーザインタフェース切り換え方法において、この方法が更に、
タッチ信号の変位が予め決定した値を超えたか否かを決定する工程と、
この変位が予め決定した値を超えた場合に、ユーザインタフェースを切り換える工程と
を具えるユーザインタフェース切り換え方法。
【請求項４】
請求項２に記載のユーザインタフェース切り換え方法において、タッチスクリーン内に表示されたユーザインタフェースが、表示アイコンのバーの一端における表示アイコンに対応するユーザインタフェースであり、且つタッチ信号がこのユーザインタフェース内で移動した場合に、この表示されたユーザインタフェースを、表示アイコンのバーの他端における表示アイコンに対応するユーザインタフェースに直接切り換え、表示アイコンのバーを、この表示アイコンのバーの他端における表示アイコンに移動させるユーザインタフェース切り換え方法。
【請求項５】
請求項１に記載のユーザインタフェース切り換え方法において、この方法が更に、
タッチ信号が表示アイコンのバー内で移動して到達した表示アイコンを拡大する工程
を具えるユーザインタフェース切り換え方法。
【請求項６】
請求項１に記載のユーザインタフェース切り換え方法において、この方法が更に、
表示されたユーザインタフェースに対応する、表示アイコンのバー内の表示アイコンを拡大する工程
を具えるユーザインタフェース切り換え方法。
【請求項７】
請求項１に記載のユーザインタフェース切り換え方法において、この方法が更に、
タッチ信号が移動して到達した表示アイコンを決定する工程と、
タッチ信号が移動して到達したこの表示アイコンに対応するユーザインタフェースプレビューアイコンを表示する工程と
を具えるユーザインタフェース切り換え方法。
【請求項８】
請求項１に記載のユーザインタフェース切り換え方法において、表示アイコンのバーを移動させる前記工程が、
前記表示アイコンのバーを、タッチ信号の移動方向と反対方向又は同じ方向に移動させる工程
を具えるユーザインタフェース切り換え方法。
【請求項９】
請求項１に記載のユーザインタフェース切り換え方法において、表示アイコンのバーはユーザインタフェースの下側に表示させ、ホットキーのバーはタッチスクリーンの下部に表示するユーザインタフェース切り換え方法。
【請求項１０】
携帯電子装置のユーザインタフェースを切り換えるようにした当該携帯電子装置であって、この携帯電子装置が、
タッチ信号を検出するタッチスクリーンと、
複数のユーザインタフェースの１つをこのタッチスクリーン内に表示するユーザインタフェースの表示モジュールと、
前記ユーザインタフェースにそれぞれ対応する複数の表示アイコンを有する表示アイコンのバーを前記タッチスクリーン内に表示する表示アイコンのバーの表示モジュールと、
現在表示されているユーザインタフェースに対応する１つ以上のホットキーを有するホットキーのバーを前記タッチスクリーン内に表示するホットキーのバーの表示モジュールと、
ユーザインタフェース及びホットキーを切り換え、タッチスクリーンにより検出されたタッチ信号により表示アイコンのバーを移動させるスイッチモジュールと
を具え、前記タッチ信号が表示アイコンのバー内に入り、この表示アイコンのバー内で移動すると、これに応じて表示アイコンのバーが移動し、表示されたユーザインタフェース及びホットキーが、タッチ信号が終了した表示アイコンに応じて切り換わるようになっている携帯電子装置。
【請求項１１】
請求項１０に記載の携帯電子装置において、前記スイッチモジュールが、表示されたユーザインタフェースを切り換える機能と、タッチ信号がユーザインタフェース内に入り、且つこのユーザインタフェース内で移動した場合に、切り換えられたユーザインタフェースに応じてホットキーを切り換えるとともに表示アイコンのバーを移動させる機能とを有している携帯電子装置。
【請求項１２】
請求項１１に記載の携帯電子装置において、前記表示アイコンのバーの表示モジュールが更に、表示アイコンのバー内でタッチ信号が移動して到達した表示アイコンを拡大する機能と、表示されたユーザインタフェースに応じて表示アイコンのバー中の表示アイコンを拡大する機能とを有している携帯電子装置。
【請求項１３】
請求項１２に記載の携帯電子装置において、前記スイッチングモジュールが更に、タッチ信号が移動して到達した表示アイコンを決定する機能と、タッチ信号が移動して到達した表示アイコンに応じてユーザインタフェースプレビューアイコンを表示する機能とを有している携帯電子装置。
【請求項１４】
請求項１０に記載の携帯電子装置において、前記表示アイコンのバーの表示モジュールが、タッチ信号の移動方向とは反対方向に表示アイコンのバーを移動させる機能を有している携帯電子装置。
【請求項１５】
請求項１に記載のユーザインタフェース切り換え方法を実行する命令を有している記録媒体。
【発明の詳細な説明】
【技術分野】
【０００１】
本発明は一般に、ユーザインタフェースを切り換える方法及び装置に関するものであり、特に、表示アイコンのバーを用いることによりユーザインタフェースを切り換える方法及び装置に関するものである。
【背景技術】
【０００２】
最近の生活で迅速に情報交換するために、大きな空間を占めることなく、持ち運ぶのに便利な種々の形態電子装置が益々開発されている。例えば、パーソナルデジタルアシスタント（ＰＤＡ：個人用のデジタル携帯端末）又はＰＤＡ電話機は、従来の通信装置の種々の機能を提供するばかりではなく、ユーザが内蔵のウインドウズ動作システムを介して、文章を書いたり、電子メールを送受したり、ネットワークを閲覧したり、ユーザインスタントメッセージ用ソフトウェアを使用したりさせることができる。すなわち、携帯電子装置は電話をかけるばかりではなく、小型のパーソナルコンピュータのような種々の多様な機能を達成するのに用いることができる。効率を重視する最近の人々にとっては、このような通信装置は必要不可欠なツールの１つとなっている。
【０００３】
しかし、軽量で、薄肉で、短く且つ小型の携帯電子装置に対する費用条件を考慮すると、装置の容積が極めて制限される。スクリーン及びキーパッドの双方を装置に配置することを目的とする場合には、スクリーンの寸法を減少させる必要がある。制限されたスペース内で大きなスクリーンを構成するために、タッチスクリーンが最近開発された。キーパッドが内部に一体化されたタッチスクリーンは携帯装置に対する入力インタフェースとして作用し、従来のキーパッドを構成する費用を節約するとともに占有面積を減少させる。
【０００４】
しかし、携帯電子装置におけるタッチスクリーンの寸法は依然として制限されている。これに反し、携帯電子装置の機能はかなり多様化している。ユーザが選択する種々の機能項目を制限されたスクリーン上に表示するには、現在の市場から得られる携帯電話の殆どは、パターン化した操作インタフェースを採用しており、これらの種々の機能が、タッチスクリーン内に配置された小型のアイコンで表示されている。
【０００５】
図１は、従来のグラフィック処理インタフェースを示す線図である。この図１を参照するに、グラフィック処理インタフェース１００では、タッチスクリーンが複数の表示ブロックに分割されており、これらブロックはそれぞれ、ホーム１１０、コンタクト（連絡先）１２０、メッセージ１３０、Ｅメール１４０、カメラ１５０、音楽プレーヤ１６０、ブラウザ１７０、天気１８０、設定１９０等のような種々のグラフィック項目を表示するのに用いられる。このようなモードは、ユーザが携帯電子装置の全ての機能又は頻繁に用いられる機能を明瞭に見うるようにするが、ユーザが一旦あるグラフィック項目を選択して対応する処理のインタフェースに入ると、ユーザは他の機能に切り換えることができず、再度選択するために元のグラフィック処理インタフェース１００に戻る以外の選択肢はなく、このことは不便なことである。
【発明の概要】
【発明が解決しようとする課題】
【０００６】
従って、本発明の目的は、携帯電子装置の種々の機能を表す表示アイコンのバーによりユーザインタフェース間を切り換えるようにして、ユーザインタフェース間で切り換えを行うためのより一層便利な方法が得られるようにすることにある。
【０００７】
更に、本発明の目的は、携帯電子装置のユーザインタフェースを切り換えるようにした当該携帯電子装置であって、ユーザインタフェース、表示アイコンのバー及びホットキーのバーが複数のモジュールによってタッチスクリーン内にそれぞれ表示され、これら要素がユーザのタッチ（接触）作用により切り換わり、所望のユーザインタフェース又はユーザに対する関連のホットキーが得られるようにする携帯電子装置を提供することにある。
【課題を解決するための手段】
【０００８】
本発明によれば、タッチスクリーンを有する携帯電子装置に適したユーザインタフェース切り換え方法を提供する。この方法は以下の工程を有する。まず、複数のユーザインタフェースを設け、これらユーザインタフェースのうちの１つをタッチスクリーン内に表示する。更に、表示アイコンのバー及びホットキーのバーをタッチスクリーン内に表示し、表示アイコンのバーが、ユーザインタフェースにそれぞれ対応する複数の表示アイコンを有し、ホットキーのバーが、現在表示されているユーザインタフェースに対応する１つ以上のホットキーを有するようにする。次に、タッチスクリーンによりタッチ信号を検出し、このタッチ信号が表示アイコンのバー内に入り、このバー内で移動した際に、これに応じて携帯電子装置が表示アイコンのバーを移動させるとともに、タッチ信号が終了した表示アイコンに応じてユーザインタフェース及びホットキーを切り換えるようにする。
【０００９】
本発明の例によれば、ユーザインタフェース切り換え方法が更に、ユーザインタフェースを切り換える工程と、タッチ信号がユーザインタフェース内に入り、且つこのユーザインタフェース内で移動した際に、切り換えられたユーザインタフェースに応じてホットキーを切り換えるとともに表示アイコンのバーを移動させる工程とを有するようにする。
【００１０】
本発明の例によれば、タッチスクリーンによりタッチ信号を検出する工程が、タッチ信号の変位が予め決定した値を超えたか否かを決定する工程と、この変位がこの予め決定した値を超えた場合にユーザインタフェースを切り換える工程とを有し、変位は水平方向の変位又は垂直方向の変位を有するようにする。
【００１１】
本発明の例によれば、タッチスクリーン内に表示されたユーザインタフェースが、表示アイコンのバーの一方の端部における表示アイコンに対応するユーザインタフェースであり、タッチ信号がこのユーザインタフェース内で移動する場合に、表示されたユーザインタフェースを、表示アイコンのバーの他方の端部における表示アイコンに対応するユーザインタフェースに直接切り換えうるようにする。
【００１２】
本発明の例によれば、表示されたユーザインタフェースを、表示アイコンのバーの他方の端部における表示アイコンに対応するユーザインタフェースに直接切り換えうるようにする工程が更に、表示アイコンのバーを、表示アイコンのバーの前記他方の端部における表示アイコンに移動させる工程を有するようにする。
【００１３】
本発明の例によれば、表示アイコンのバーを移動させる工程が更に、タッチ信号が表示アイコンのバー内で移動して到達した表示アイコンを拡大する工程を有するようにする。
【００１４】
本発明の例によれば、ユーザインタフェース切り換え方法が更に、表示されたユーザインタフェースに応じて表示アイコンのバー中の表示アイコンを拡大する工程を有するようにする。
【００１５】
本発明の例によれば、ユーザインタフェース切り換え方法が更に、タッチ信号が移動して到達した表示アイコンを決定する工程と、この表示アイコンに応じてユーザインタフェースプレビューアイコンを表示する工程とを有し、このユーザインタフェースプレビューアイコンを表示アイコンの拡大画像とするか、又はこのユーザインタフェースプレビューアイコンが表示アイコンの拡大画像及びそのテキスト記述を有するようにする。
【００１６】
本発明の例によれば、表示アイコンのバーを移動させる工程が更に、前記表示アイコンのバーを、タッチ信号の移動方向と同じ方向又は反対方向に移動させる工程を具えるようにする。
【００１７】
本発明の例によれば、表示アイコンのバーの端と端とを連結する、すなわち、タッチスクリーン内に表示された表示アイコンのバーをその一端における表示アイコンに移動すると、次に表示アイコンのバーの他端における表示アイコンが表示されるようにする。
【００１８】
本発明の例によれば、表示アイコンのバーをユーザインタフェースの下側に表示でき、ホットキーのバーをタッチスクリーンの下部に表示しうるようにする。
【００１９】
本発明の例によれば、携帯電子装置を携帯電話、スマートフォン、パーソナルデジタルアシスタント（ＰＤＡ）又はＰＤＡ電話としうるようにする。
【００２０】
本発明は、携帯電子装置のユーザインタフェースを切り換えるようにした当該携帯電子装置を提供する。この携帯電子装置は、タッチスクリーンと、ユーザインタフェースの表示モジュールと、表示アイコンのバーの表示モジュールと、ホットキーのバーの表示モジュールと、スイッチモジュールとを具える。タッチスクリーンはタッチ信号を検出するのに用いる。ユーザインタフェースの表示モジュールは複数のユーザインタフェースの１つをタッチスクリーン内に表示するのに用いる。表示アイコンのバーの表示モジュールは、前記ユーザインタフェースにそれぞれ対応する複数の表示アイコンを有する表示アイコンのバーをタッチスクリーン内に表示するのに用いる。ホットキーのバーの表示モジュールは、現在表示されているユーザインタフェースに対応する１つ以上のホットキーを有するホットキーのバーを前記タッチスクリーン内に表示するのに用いる。スイッチモジュールは、ユーザインタフェース及びホットキーを切り換え、タッチスクリーンにより検出されたタッチ信号により表示アイコンのバーを移動させるのに用いる。タッチ信号が表示アイコンのバー内に入り、この表示アイコンのバー内で移動すると、これに応じて、スイッチモジュールが、表示アイコンのバーの表示モジュールにより表示された表示アイコンのバーを移動させ、ユーザインタフェースの表示モジュールにより表示されたユーザインタフェース及びホットキーのバーの表示モジュールにより表示されたホットキーを、タッチ信号が終了した表示アイコンに応じて切り換えるようにする。
【００２１】
本発明の例によれば、スイッチモジュールが更に、表示されたユーザインタフェースを切り換えるとともに、タッチ信号がユーザインタフェース内に入り、且つこのユーザインタフェース内で移動した場合に、切り換えられたユーザインタフェースに応じてホットキーを切り換えるとともに表示アイコンのバーを移動させるようにする。
【００２２】
本発明の例によれば、スイッチモジュールが更に、タッチ信号の変位が予め決定した値を超えたか否かを決定し、この変位がこの予め決定した値を超えた場合にユーザインタフェースを切り換え、変位は水平方向の変位又は垂直方向の変位を有するようにする。
【００２３】
本発明の例によれば、タッチスクリーン内に表示されたユーザインタフェースが、表示アイコンのバーの一端における表示アイコンに対応するユーザインタフェースである場合に、スイッチモジュールが、この表示されたユーザインタフェースを、表示アイコンのバーの他端における表示アイコンに対応するユーザインタフェースに直接切り換えるようにする。
【００２４】
本発明の例によれば、スイッチモジュールは更に、このスイッチモジュールが、表示されたユーザインタフェースを、表示アイコンのバーの他端における表示アイコンに対応するユーザインタフェースに直接切り換えた場合に、表示アイコンのバーをこの表示アイコンのバーの他端における表示アイコンに移動させるようにする。
【００２５】
本発明の例によれば、表示アイコンのバーの表示モジュールが更に、表示アイコンのバー内でタッチ信号が移動して到達した表示アイコンを拡大するようにする。
【００２６】
本発明の例によれば、表示アイコンのバーの表示モジュールが更に、表示されたユーザインタフェースに応じて表示アイコンのバー中の表示アイコンを拡大するようにする。
【００２７】
本発明の例によれば、タッチ信号が移動して到達した表示アイコンを決定し、この表示アイコンに応じてユーザインタフェースプレビューアイコンを表示するようにする。
【００２８】
本発明の例によれば、ユーザインタフェースプレビューアイコンを表示アイコンの拡大画像とする。
【００２９】
本発明の例によれば、ユーザインタフェースプレビューアイコンを、表示アイコンのテキスト記述及びこの表示アイコンの拡大画像とする。
【００３０】
本発明の例によれば、表示アイコンのバーの表示モジュールが、タッチ信号の移動方向と同じ方向又は反対方向に表示アイコンのバーを移動させるようにする。
【００３１】
本発明は、複数のプログラムコードを有するコンピュータプログラムを記録する記録媒体を提供するものであり、このコンピュータプログラムは、携帯電子装置内にローディングされてこの携帯電子装置がユーザインタフェース切り換え方法を実行しうるようにするのに適したものである。ユーザインタフェース切り換え方法は以下の工程を有している。まず、複数のユーザインタフェースを設け、これらユーザインタフェースのうちの１つをタッチスクリーン内に表示する。更に、ユーザインタフェースにそれぞれ対応する複数の表示アイコンを有する表示アイコンのバーと、現在表示されているユーザインタフェースに対応する１つ以上のホットキーを有するホットキーのバーとをもタッチスクリーン内に表示する。次に、タッチスクリーンによりタッチ信号を検出し、このタッチ信号が表示アイコンのバー内に入り、この表示アイコンのバー内で移動した際に、これに応じて携帯電子装置が表示アイコンのバーを移動させるとともに、タッチ信号が終了した表示アイコンに応じてユーザインタフェース及びホットキーを切り換える。
【００３２】
本発明では、表示アイコンのバーをスクリーン内に表示し、現在表示されているユーザインタフェース及びホットキーを、この表示アイコンのバー内のタッチ操作に応じて切り換えるか、又は現在表示されているユーザインタフェース及びホットキーを、ユーザインタフェース内で検出されたタッチ操作に応じて切り換える。これにより、ユーザインタフェースを切り換えるより一層便利な方法が得られる。
【図面の簡単な説明】
【００３３】
【図１】図１は、従来のグラフィックユーザインタフェースを示す線図である。
【図２】図２は、本発明の実施例による表示アイコンのバーを示す線図である。
【図３】図３は、本発明の実施例により表示アイコンのバーをタッチスクリーン内に表示する方法を示す線図である。
【図４】図４は、本発明の実施例によるユーザインタフェース切り換え方法を示す流れ図である。
【図５】図５（ａ）及び（ｂ）は、本発明の実施例によるユーザインタフェース切り換え方法を示す線図である。
【図６】図６（ａ）及び（ｂ）は、本発明の実施例によるユーザインタフェース切り換え方法を示す線図である。
【図７】図７（ａ）及び（ｂ）は、本発明の実施例によるユーザインタフェース切り換え方法を示す線図である。
【図８】図８（ａ）及び（ｂ）は、本発明の実施例によるユーザインタフェース切り換え方法を示す線図である。
【図９】図９は、本発明の実施例によりユーザインタフェースを切り換えうる携帯電子装置を示すブロック線図である。
【発明を実施するための形態】
【００３４】
以下に添付図面を参照して本発明の原理及び本発明の実施例を詳細に説明する。図中、可能な限り、同じ又は類似部分に同じ符号を用いる。
【００３５】
携帯電子装置は多くの機能を提供するものであり、各機能に対応するユーザインタフェースを設けて、ユーザがこの機能を達成するようにする必要がある。ユーザがこれらのユーザインタフェース間を円滑に切り換えるようにするために、本発明においては、携帯電子装置の各機能又は頻繁に用いられる各機能に関して表示アイコンを設計し、全ての表示アイコンを表示アイコンのバーとして一体化し、スクリーン内に表示する。ユーザは、タッチング、ドラッギング又はスライディングにより表示アイコンのバーをトリガ又は移動させて、所望の表示アイコンを選択することができ、携帯電子装置は対応するユーザインタフェース及びホットキーをスクリーン内に表示し、ユーザインタフェース間を切り換えるためのより便利な方法を提供するようにする。従って、本発明はユーザインタフェース切り換え方法及び携帯電子装置を提供するとともに、前述した概念に基づく方法を用いた記録媒体を提供することにある。かかる本発明の実施例を以下に添付図面を用いて説明する。
【００３６】
図２は、本発明の実施例による表示アイコンを示す線図である。図３は、本発明の実施例により、タッチスクリーン内に表示アイコンのバーを表示するための線図である。まず図２を参照するに、本例では、携帯電子装置の全ての機能を表示アイコンのバー２００により示しており、この表示アイコンのバー２００は、ホーム２１０、コンタクト２２０、メッセージ２３０、Ｅメール２４０、カメラ２５０、音楽２６０、インターネット２７０、天気２８０、設定２９０のような複数の表示アイコンを有する。表示アイコンのバー２００の前述した内容は一例にすぎず、本発明の範囲を制限するために用いているものではなく、当業者は、実際の要求に応じて異なる種類の且つ異なる個数の表示アイコンをそのバー２００内に配置することができるものである。
【００３７】
図３を参照するに、携帯電子装置はタッチスクリーン３００の下部に表示アイコンのバー２００を表示する。このタッチスクリーン３００のスペースは制限されている為、表示アイコンのバー２００の最初の５つの表示アイコンのみが表示される。ユーザが１つの表示アイコンをクリックすると、携帯電子装置は、表示アイコンのバー２００の上側のブロック内に対応するユーザインタフェース３１０を表示する。一方、携帯電子装置は表示アイコンのバー２００の下側のブロック内に対応するホットキーのバーをも表示する。要するに、ユーザインタフェース３１０及びホットキーのバー３２０は携帯電子装置の同じ機能に対応しており、その内容がこの機能により決定される。従って、ユーザが他の機能に切り換えると、ユーザインタフェース３１０及びホットキーのバー３２０が一緒に切り換わる。
【００３８】
本発明によれば、表示アイコンのバーの前述した構成に基づいたユーザインタフェース切り換え方法を得るものであり、従って、ユーザは表示アイコンのバーを動かすか、又はユーザインタフェースを迅速に切り換えて、所望の機能を閲覧又は選択することができるようにする。この方法に関する本発明の実施例を以下に説明する。
【００３９】
図４は、本発明の実施例によるユーザインタフェース切り換え方法の流れ図である。この図４を参照するに、本例はタッチスクリーンを有する携帯電子装置に適しており、携帯電子装置は、携帯電話（セルフォン）、スマートフォン、パーソナルデジタルアシスタント（ＰＤＡ）又はＰＤＡ電話とすることができるが、これらに限定されるものではない。
【００４０】
最初に、複数のユーザインタフェースを設け、これらユーザインタフェースの１つをタッチスクリーン内に表示する（工程Ｓ４１０）。携帯電子装置がターンオンされるか、又は待機状態にされると、（今日の日付、現在の時間又は信号強度等の情報を含む）ホームのユーザインタフェースがタッチスクリーン内に表示され、ユーザが携帯電子装置の現在の状態を理解しうるようになる。しかし、ユーザにより動作される最後の機能のユーザインタフェースを携帯電子装置により表示することもできるが、これに限定されるものではない。
【００４１】
携帯電子装置は、ユーザインタフェースを表示している間、表示アイコンのバー及びホットキーのバーをもタッチスクリーン内に表示する（工程Ｓ４２０）。表示アイコンのバーは、ユーザインタフェース（又は機能）にそれぞれ対応する表示アイコンを有し、表示アイコンのバーはユーザインタフェースの下側に表示しうる。ホットキーのバーは、現在表示されているユーザインタフェースに対応する１つ以上のホットキーを有し、このホットキーのバーは、タッチスクリーンの下部に表示しうる。
【００４２】
具体的には、表示アイコンのバー内の表示アイコンの個数は、携帯電子装置内に構成される機能の個数及び頻繁に使用される機能の個数に応じて決定することができ、又はユーザにより設定することもでき、機能に関連するパターンは表示アイコンとして用いられる為、ユーザは携帯電子装置の機能を迅速に閲覧することができる。例えば、ホームを表すのに家の画像を用いることができ、コンタクト機能を表すのに人間の画像を用いることができ、Ｅメール機能を表すのに手紙の画像を用いることができる、等々である。
【００４３】
次に、携帯電子装置がタッチスクリーンを介してユーザのタッチ信号を検出する（工程Ｓ４３０）。タッチスクリーンにより検出されたタッチ信号が表示アイコンのバー内に入り、このバー内で移動すると、携帯電子装置はこれに対応して表示アイコンのバーを移動させるとともに、タッチ信号が終了する表示アイコンに応じてユーザインタフェース及びホットキーを切り換える（工程Ｓ４４０）。
【００４４】
具体的には、ユーザが単に表示アイコンをクリックするだけで、タッチスクリーンが一点でタッチ信号を検出し、ユーザは、タッチ信号が位置する表示アイコンを拡大することにより現在クリックした表示アイコンを知ることができる。更に、タッチ信号が位置している表示アイコンに応じてユーザインタフェース及びホットキーが切り換わる。
【００４５】
しかし、ユーザが自分の指又はスタイラスをドラッギング又はスライディングすることにより、表示アイコンにタッチする場合には、タッチスクリーンは連続信号を、すなわち、タッチ信号が変位を有することを検出する。次に、携帯電子装置が更に、この変位に応じて表示アイコンのバーを如何に移動させるかを決定し、タッチ信号が終了すると、携帯電子装置は、このタッチ信号が終了した表示アイコンに応じて切り換えるべきユーザインタフェースを選択する。
【００４６】
前述した変位は、表示アイコンのバーの向きに応じて、水平方向の変位又は垂直方向の変位とすることができる。例えば、表示アイコンのバーがタッチスクリーン内で水平方向に表示されている場合には、ユーザは表示アイコンのバーを直感的に水平方向にドラッギングすることによりこの表示アイコンのバーを移動させることができ、次に携帯電子装置は、この水平方向の変位の値に応じてユーザインタフェース及びホットキーを切り換えるか否かを決定する。更に、表示アイコンのバーの移動方向をタッチ信号の移動方向と反対の方向又は同じ方向とすることができる。すなわち、ユーザはスクリーンにタッチし、自分の指又はスタイラスを表示アイコンのバーの移動方向と同じ又は反対の方向にスライドさせる。
【００４７】
図５（ａ）及び５（ｂ）は、本発明の実施例によるユーザインタフェース切り換え方法を示す線図である。まず図５（ａ）を参照するに、本例では、（例えば、総計で９個の表示アイコンを有する）表示アイコンのバー２００内の最初の５つの表示アイコンがタッチスクリーン５００内に表示されている。ユーザがホーム２１０の表示アイコンをクリックし、次に右方向にスライドさせると、携帯電子装置は表示アイコンのバー２００を左方向に移動させ、コンタクト２２０の表示アイコンに切り換える。一方、携帯電子装置は又、タッチスクリーン５００内に元々表示されていたユーザインタフェース５１０及びホットキーのバー５２０をコンタクト２２０に対応するユーザインタフェース５３０及びホットキーのバー５４０に切り換える。次に、ユーザはコンタクトのデータを探索するか、又はユーザインタフェース５３０を介してコンタクトを呼び出すか、或いはホットキーのバー５４０を用いることにより全てのコンタクトをリストアップすることもできる。
【００４８】
ユーザが表示アイコンのバーにおける特定の表示アイコンへのスライディング及び移動を保持している際に、ユーザがこの表示アイコンに対応する機能を理解するようにするために、携帯電子装置は、この特定の表示アイコンに対応するユーザインタフェースプレビューアイコンを表示しうる。このユーザインタフェースプレビューアイコンは、表示アイコンの拡大画像とするか、又は表示アイコンのテキスト記述と一緒の拡大画像とすることができる。しかし、本発明においては、ユーザインタフェースプレビューアイコンの範囲は上述したものに限定されるものではない。
【００４９】
図６（ａ）及び６（ｂ）は、本発明の実施例によるユーザインタフェース切り換え方法を示す線図である。まず図５（ａ）を参照するに、本発明では、同様にユーザがホーム２１０の表示アイコンをクリックし、次に右方向にスライドさせると、携帯電子装置は表示アイコンのバー２００を左方向に移動させる。ユーザがコンタクト２２０の表示アイコンに移動を行うが、自分の指又はスタイラスを離さなければ、携帯電子装置は、タッチスクリーン５００内に表示されたユーザインタフェース５１０を、コンタクト２２０に対応して、（図６（ａ）に示すように）ユーザインタフェースプレビューアイコン５５０又は（図６（ｂ）に示すように）ユーザインタフェースプレビューアイコン５５０に切り換え、ユーザが表示アイコンに対応する機能を理解しうるようにする。ユーザインタフェースプレビューアイコン５５０はコンタクト２２０の拡大画像であり、ユーザインタフェースプレビューアイコン５６０はコンタクト２２０の拡大画像をそのテキスト記述と一緒にしたものである。
【００５０】
上述したように、タッチング、ドラッギング又はスライディングによりユーザインタフェース及びホットキーを切り換える方法以外に、本例によれば更に、ユーザインタフェースを切り換えるより一層直感的な方法を提供するものであり、この方法によれば、同様にユーザインタフェースを、同じくタッチスクリーンにより検出されたタッチ信号に基づいて切り換える。具体的には、タッチスクリーンにより検出されたタッチ信号がユーザインタフェース内に入り、このユーザインタフェース内で移動すると、携帯電子装置はこのユーザインタフェースを切り換えるとともに、切り換えられたユーザインタフェースに応じて表示アイコンのバーを移動させ（工程Ｓ４５０）、ここで携帯電子装置は、タッチ信号の変位が予め決定した値を超えるか否かを決定するとともに、この変位が予め決定した値を超えた場合にユーザインタフェースを切り換える。変位は水平方向の変位又は垂直方向の変位を有する。しかし、本発明では、変位方向は上述したものに限定されるものではない。
【００５１】
図７（ａ）及び７（ｂ）は、本発明の実施例によるユーザインタフェース切り換え方法を示す線図である。まず図７（ａ）を参照するに、本例では、（例えば、総計で９個の表示アイコンを有する）表示アイコンのバー２００内の最初の５つの表示アイコンがタッチスクリーン７００内に表示されている。ユーザがユーザインタフェース７１０をタッチし、予め決定した値よりも多く右方向にスライドさせると、携帯電子装置はユーザインタフェース７１０を次の機能のユーザインタフェース７３０に切り換え、これに対応してコンタクト２２０の表示アイコンに切り換わるように表示アイコンのバー２００を移動させ、且つ元々表示されていたホットキーのバー７２０をコンタクト２２０に対応するホットキーのバー７４０に切り換える。従って、ユーザはユーザインタフェース７３０及びホットキーのバー７４０内のホットキーを介して処理を行うことができる。
【００５２】
上述した方法によれば、ユーザは携帯電子装置の種々の機能間で自由に切り換えを行うために、自身の要求に応じてユーザインタフェース又は表示アイコンのバーでタッチング又はドラッギングを行いうるものである。その結果、不必要な又は複雑な処理を全て回避しうる。
【００５３】
上述した実施例では、タッチスクリーンに元々表示されていたユーザインタフェースが、表示アイコンのバーの一端（例えば、最も左端）における表示アイコンに対応するユーザインタフェースである場合、ユーザがユーザインタフェースにタッチし、左方向にドラッギングすると、携帯電子装置は、タッチスクリーン内に表示されているユーザインタフェースを、表示アイコンのバーの他端（例えば、最も右端）における表示アイコンに対応するユーザインタフェースに直接切り換えることに注意すべきである。又、これと同時に、携帯電子装置は、表示アイコンのバーをこの表示アイコンのバーの他端における表示アイコンに移動させる。
【００５４】
図８（ａ）及び８（ｂ）は、本発明の実施例によるユーザインタフェース切り換え方法を示す線図である。まず図８（ａ）を参照するに、本例では、（例えば、総計で９個の表示アイコンを有する）表示アイコンのバー２００内の最初の５つの表示アイコンがタッチスクリーン８００内に表示されている。ユーザがユーザインタフェース８１０をタッチし、予め決定した値よりも多く左方向にスライドさせると、携帯電子装置はユーザインタフェース８１０を、表示アイコンのバー２００の他端における表示アイコンに対応するユーザインタフェース８３０に切り換え、これに対応して設定２９０の表示アイコンに切り換わるように表示アイコンのバー２００を移動させ、且つ元々表示されていたホットキーのバー８２０を設定２９０に対応するホットキーのバー８４０に切り換える。従って、ユーザはユーザインタフェース８３０及びホットキーのバー８４０を介して処理を行うことができる。
【００５５】
本発明の他の実施例では、上述した方法を更に、以下に説明する携帯電子装置に適用する。図９は、本発明の実施例により携帯電子装置のユーザインタフェースに切り換えるようにした当該携帯電子装置を示すブロック線図である。この図９を参照するに、本例では、携帯電子装置９００を携帯電話、スマートフォン、ＰＤＡ又はＰＤＡ電話とすることができるが、本発明では、この携帯電子装置９００の範囲はこれらに限定されるものではない。この携帯電子装置９００は、タッチスクリーン９１０、ユーザインタフェースの表示モジュール９２０、表示アイコンのバーの表示モジュール９３０、ホットキーのバーの表示モジュール９４０及びスイッチモジュール９５０を有する。上述した要素の機能をそれぞれ以下に説明する。
【００５６】
タッチスクリーン９１０は、ユーザのタッチ操作を検出し、これに応じて対応するタッチ信号を発生させるのに用いられる。ユーザインタフェースの表示モジュール９２０は、複数のユーザインタフェースの１つを、タッチスクリーン９１０に表示するのに用いられる。表示アイコンのバーの表示モジュール９３０は、ユーザインタフェースにそれぞれ対応する複数の表示アイコンを有する表示アイコンのバーをタッチスクリーン９１０に表示させるのに用いられる。同様に、ホットキーのバーの表示モジュール９４０は、現在表示されているユーザインタフェースに対応する１つ以上のホットキーを有するホットキーのバーをタッチスクリーン９１０内に表示するのに用いられる。
【００５７】
上述した３つのモジュールの動作により、携帯電子装置９００は、ユーザインタフェースと、表示アイコンのバーと、ホットキーのバーとを同時にそのタッチスクリーン９１０内に表示する。スイッチモジュール９５０はユーザインタフェースと、タッチスクリーン９１０内に表示されたホットキーとを切り換え、これに応じタッチスクリーン９１０により検出されたタッチ信号により表示アイコンのバーを移動させる。
【００５８】
タッチ信号が表示アイコンのバー内に入り、その中で移動すると、これに対応してスイッチモジュール９５０は表示アイコンのバーの表示モジュール９３０により表示された表示アイコンのバーを移動させ、ユーザインタフェースの表示モジュール９２０により表示されたユーザインタフェース及びホットキーのバーの表示モジュール９４０により表示されたホットキーを、タッチ信号が終了した表示アイコンに応じて切り換える。
【００５９】
一方、タッチ信号がユーザインタフェースの表示モジュール９２０により表示されたユーザインタフェース内に入り、その中で移動すると、スイッチモジュール９５０は、ユーザインタフェースの表示モジュール９２０により表示されたユーザインタフェース及びホットキーのバーの表示モジュール９４０により表示されたホットキーを同時に切り換え、これに応じて、表示アイコンのバーの表示モジュール９３０により表示された表示アイコンのバーを移動させる。スイッチモジュール９５０により、タッチ信号がユーザインタフェース内で移動したか否かを決定すると、このスイッチモジュール９５０は更に、タッチ信号の変位が予め決定した値を超えたか否かを決定する。変位が予め決定した値を超えた場合のみ、このスイッチモジュール９５０はユーザインタフェース及びホットキーを切り換えるとともに表示アイコンのバーを移動させる。この変位は、水平方向の変位又は垂直方向の変位を有する。
【００６０】
タッチスクリーン９１０がタッチ信号を検出すると、表示アイコンのバーの表示モジュール９３０は更に、タッチ信号の位置に応じて表示アイコンのバー内の表示アイコンを拡大し、ユーザが、現在クリックした又はタッチした表示アイコンを思い出すようにする。更に、表示アイコンのバーの表示モジュール９３０は、表示アイコンのバーがタッチ信号の移動方向に沿って移動するか又はこの移動方向とは反対方向に移動するかを決定する。
【００６１】
一方、本発明は、上述したユーザインタフェース切り換え方法を実行するように、コンピュータ可読認証承認プログラムを記録するための光ディスク、磁気ディスク及びリムーバブルハードディスクのような記録媒体をも提供する。ここで、記録媒体に記録された認証承認プログラムは、基本的に、組織図を確立するプログラムコードセグメント、承認形態プログラムコードセグメント、設定プログラムコードセグメント及び配置プログラムコードセグメントのような複数のプログラムコードセグメントより成る。これらのプログラムコードセグメントの機能は、上述したユーザインタフェース切り換え方法の工程及び上述した携帯電子装置の機能ブロック図に対応する。
【００６２】
上述したところから明らかなように、本発明は、ユーザインタフェース切り換え方法や、この方法を用いた電子装置及び記録媒体を提供するものであり、これらにおいては、表示アイコンのバーがタッチスクリーンに表示され、ユーザにより発生されたタッチ信号はタッチスクリーンを介して検出されるようにしたものである。ユーザが表示アイコンのバーをドラッギングすると、これに応じて、タッチスクリーンに表示されているユーザインタフェース及びホットキーを切り換える。一方、ユーザがドラッギングし、ユーザインタフェースを切り換えると、これに対応して表示アイコンのバーが移動され、ホットキーが切り換わる。これにより、ユーザが種々の機能間を自由に切り換えうるようにした、一層便利なユーザインタフェース切り換え方法が得られる。
【００６３】
本発明の範囲又は精神を逸脱することなく、本発明の構成を種々に変更しうること、当業者にとって明らかである。従って、特許請求の範囲及びその等価の範囲に入る限り、本発明は種々の変形例を包含するものである。
【符号の説明】
【００６４】
１００    グラフィック処理インタフェース
２００    表示アイコンのバー
３００、５００、７００、８００、９１０    タッチスクリーン
３２０、５２０、５４０、７２０、７４０、８２０、８４０    ホットキーのバー
３１０、５１０、５３０、７１０、７３０、８１０、８３０    ユーザインタフェース
５５０、５６０    ユーザインタフェースプレビューアイコン
９００    携帯電子装置
９２０    ユーザインタフェースの表示モジュール
９３０    表示アイコンのバーの表示モジュール
９４０    ホットキーのバーの表示モジュール
９５０    スイッチモジュール
【図１】
0004814303.tif 000002
【図２】
0004814303.tif 000003
【図３】
0004814303.tif 000004
【図４】
0004814303.tif 000005
【図５】
0004814303.tif 000006
【図６】
0004814303.tif 000007
【図７】
0004814303.tif 000008
【図８】
0004814303.tif 000009
【図９】
0004814303.tif 000010